(57)【要約】【課題】花立ての下の収納部内に貯水部を収納可能として、花立て内には水が無くても、貯水部の水によって花立て内の植物は容易に枯れない。【解決手段】花立て台１１、３１の上面の凹部１２、３２の底面中央には円柱状の穴部１３、１４、３３が縦方向に開けられて、ほぼ筒状の花立て１５、３５が挿通され、この穴部１３、１４、３３の下には、空洞の収納部２０、４０が形成され、水の入った貯水部２５、４５が収納され、花立て１５、３５に供えられた花の下端がこの貯水部２５、４５の中に浸される。花立て１５、３５の下方は、植物の茎より細い網目の花立て網１９、３９となっている。よって、植物の下端の切り口に錫が当たり枯れにくくなり、しかもこの網１９、３９から貯水部２５、４５からの水が入って植物に水が供給される。【選択図】図４
2010150844.tif 000002
【特許請求の範囲】
【請求項１】
墓の上に設けられたほぼ筒状の花立てと、
この花立ての下の墓の中に設けられた空洞の収納部と、
この収納部上面と上記花立ての下面とを連通する穴部とを備え、
この収納部内に収納され水を貯え、上記花立てに供えられ上記穴部を挿通した植物の下端が、当該貯えられた水に浸される貯水部を上記収納部内に収納可能としたことを特徴とする墓。
【請求項２】
上記筒状の花立ての下部は網状になっていて、この網状の部分は上記貯水部の中に到達していることを特徴とする請求項１記載の墓。
【請求項３】
上記網状の部分は錫を含む素材からなり、上記網状の部分の穴は、花立てに立てられる花または植物の茎の太さより小さいことを特徴とする請求項２記載の墓。
【請求項４】
上記収納部の底面は墓の外側に向かって傾斜していることを特徴とする請求項１、２、または３記載の墓。
【請求項５】
上記墓の外側に向かって傾斜している上記収納部の底面には、貯水部の底面をほぼ水平に保つための持ち上げ体が設けられていることを特徴とする請求項１、２、３または４記載の墓。
【請求項６】
上記収納部の底面の傾斜に沿って上記貯水部は収納部内を収納されながら徐々に持ち上げられ、花立ての網状の下部に貯水部の奥上が当たらない位置に、花立ての網状部分の位置または大きさが決定されることを特徴とする請求項１、２、３、４または５記載の墓。
【請求項７】
上記花立ては墓の手前に向かって傾斜していることを特徴とする請求項１、２、３、４、５または６記載の墓。
【請求項８】
上記収納部の前面には扉が設けられ、この扉の下側と収納部の下側との間には隙間があることを特徴とする請求項１、２、３、４、５、６または７記載の墓。
【請求項９】
上記収納部の底面は墓の外側方向以外の方向に傾斜しており、この傾斜先の隅には溝が形成されていることを特徴とする請求項１、２、３、４、５、６、７または８記載の墓。
【請求項１０】
上記収納部内の一部または全部には銅板が取り付けられており、上記花立てまたは上記穴部の一部または全部に銅素材が使用されるか、または花立てまたは上記穴部の一部は水を通し、虫を通さない網状となっていることを特徴とする請求項１、２、３、４、５、６、７、８または９記載の墓。
【請求項１１】
上記花立ての下部は水を通し虫を通さない網状となっており、この網状部分は上記貯水部の底面または側面と連結されていることを特徴とする請求項１、２、３、４、５、６、７、８、９または１０記載の墓。
【発明の詳細な説明】
【技術分野】
【０００１】
本発明は、墓に関し、特に墓に供えられる植物が容易に枯れない墓に関する。
【背景技術】
【０００２】
墓にはお花を供えることが広く行われている。このお花は花立てに供えられる。そして、この花立ての中には水が入れられる。しかし、この水は時間が経過すると劣化し、場合によって腐って腐敗臭を発する。
【０００３】
【特許文献１】特開２００３−１８４３４８号公報
【発明の開示】
【発明が解決しようとする課題】
【０００４】
本発明の目的は、このような花立ての水は腐敗せず、花立ての花を長持ちさせることにもある。
【課題を解決するための手段】
【０００５】
本発明の墓は、  この花立ての下の墓の中に設けられた空洞の収納部と、  この収納部上面と上記花立ての下面とを連通する穴部とを備え、  この収納部内に収納され水を貯え、上記花立てに供えられ上記穴部を挿通した植物の下端が、当該貯えられた水に浸される貯水部を上記収納部内に収納可能とした。
【０００６】
また、上記筒状の花立ての下部は網状になっていて、この網状の部分は上記貯水部の中に到達している。さらに、上記網状の部分は錫を含む素材からなり、上記網状の部分の穴は、花立てに立てられる花または植物の茎の太さより小さい。また、上記収納部の底面は墓の外側に向かって傾斜しており、収納部の前面には扉が設けられ、この扉の下側と収納部の下側との間には隙間があるようにした。
【発明の効果】
【０００７】
これにより、花立て内には水は無用となって無くすことができ、水を貯えた貯水部は収納部内に収納されるので、腐敗しにくく、花立ての花が長持ちされる。また、上記のような網状部分に、花立てに立てられた植物の下端の切り口が当たり、茎下端が網目を挿通せず、植物の下端の切り口から錫の成分が送り込まれ、花立ての植物が枯れにくくなり、長持ちする。
【０００８】
しかも、網状なので貯水部の網内に容易にはいり、花立て内の植物に水が供給され枯れにくく、花立ての上からのごみや植物のごみが収納室内に入るのが防止される。さらに、上記傾斜によって、花立てから収納部内に入った雨水、ゴミなどが、収納部の外側に向かって流れ、扉の下側と収納部の下側との間の隙間から外に排出される。また、花立て内には水が無くても、貯水部の水によって植物は容易に枯れない。
【発明を実施するための最良の形態】
【０００９】
（１）墓１
図１は墓１の外観を示す。この墓１の基礎・土台の根石２は方形枠状であり、この根石２の内側には敷石２ａが敷き詰められ、この敷石の上には直方体の下台３が設置固定されている。この下台３の上には直方体状の上台５が設置固定され、この上台５の上には竿石６が設置固定されている。この竿石６の前面には家名、題目、経文、梵字などの種々の文字が彫刻されている。
【００１０】
上記根石２の上面周囲に沿って外柵（羽目石）７が設置固定され、この外柵７の前面部分のみ省略されている。外柵７の左側には板状の墓誌８が立設固定され、外柵７には戒名、死亡年月日、享年、俗名などが刻まれている。外柵７の右側には縦に高い五輪塔９が設置固定されている。
【００１１】
上記下台３の上面前側の中央には香炉１０が設置固定され、この香炉１０内は空洞で前面に扉が設けられ、この扉を開閉して香炉１０の中に線香立、お供え物などが収納される。この香炉１０の両側には、花立て台１１、１１が設置固定されている。
【００１２】
上記根石２、下台３の側面の全周囲の下方には銅板２９が巻回されて取り付けられている。この巻回では、細長い板状の銅板２９が根石２、下台３の側面の全周囲にわたって巻きつけられ、この巻き付けられた細長い銅板２９の両端が互いに溶接されたり、この両端が反転されてこの反転個所どうしが針金などで連結されたり、その他の連結金具で連結される。
【００１３】
扉２１の箇所では、銅板２９は扉２１の裏側に折り曲げられて取り付けられ、また扉２１の表面から裏面にわたっても銅板２９が巻回されて取り付けられている。なお、この銅板２９は、扉２１の下側を巻回されて取り付けられていてもよい。
【００１４】
下台３の銅板２９は、扉２１、２１に引っ掛からないように、扉２１、２１の下側に取り付けられる。このような銅板２９によって、ナメクジ、かたつむりなどの虫が、墓１内に侵入するのが防止される。銅板２９の銅には、銅イオンなどによって、ナメクジ、かたつむりなどの虫を寄せ付けない作用がある。
【００１５】
このような銅板２９としては、銅のほか、黄銅（しんちゅう）、青銅などの銅合金といった銅を含んだ素材でもよいし錫でもよい。青銅には、銅Ｃｕと、錫Ｓｎ、ベリリウムＢｅ、アルミニウムＡｌまたはケイ素Ｓｉなどとの合金がある。黄銅（しんちゅう）は、銅Ｃｕと亜鉛Ｚｎとの合金である。
【００１６】
このような銅板２９には模様が付されている。この模様によって、銅板２９の表面が酸化などによって斑になっても目立たない。このような銅板２９は、上台５、竿石６、外柵（羽目石）７、墓誌８、五輪塔９、香炉１０などにも設けられてもよい。
【００１７】
図６は和型の墓１を示す。この和型の墓１は下から順番に、根石２、下台３、中台４、上台５、竿石６が積み上げられている。これらの下台３、中台４、上台５、竿石６の側面の全周囲の下方には銅板２９が巻回されて取り付けられている。
【００１８】
なお、上台５、竿石６など、一部には、銅板２９が取り付けられなくてもよい。この墓１の前面には香炉１０、花立て台１１、１１などが設置され、この花立て台１１、１１の下には収納室２０、２０及び扉２１、２１が設置されている。
【００１９】
（２）花立て１３
図２は、上記花立て台１１及び花立て１３の断面を示す。上記花立て台１１の正面は葉っぱ形状で厚みがある形状をしている。この花立て台１１の上面中央は方形状に凹んでおり、この凹部１２の底面中央には円柱状の穴部１３が縦方向に開けられている。また、下台３の上面にも穴部１４、１４が縦方向に開けられている。この穴部１４と穴部１３とは、同径・同大で段差なく連通されている。
【００２０】
これら穴部１３及び穴部１４には、ほぼ筒状の花立て１５が挿通されている。この花立て１５の下部はほぼ円筒状の筒部１６となっており、当該花立て１５の上部は円筒状で上方へ開くテーパー部１７となっている。このテーパー部１７と筒部１６との境界にはつば部１８が形成されている。
【００２１】
このつば部１８は外側へ環状に延出され、花立て１５が穴部１３及び／または穴部１４に挿通されたとき、上記凹部１２の底面にこのつば部１８が当接して、花立て１５は花立て台１１の凹部１２内に固定される。この花立て１５は花立て台１１の穴部１３及び／または穴部１４から抜いたり差し込んだりできる。
【００２２】
上記穴部１３及び穴部１４は手前に向かって傾斜している。これに応じて花立て１５は手前に向かって傾斜される。したがって、花立て１５に差されて供えられる花などの花の向きは墓１の前側を向き、墓１を見たとき花が体裁よく見える。なお図４及び図５では、穴部１３、３３、穴部１４、花立て１５、３５は傾斜していないように見えるが、実際には傾斜している。
【００２３】
この花立て１５のつば部１８は、花立て１５並びに穴部１３及び穴部１４の傾斜に沿って傾斜している。したがってつば部１８の下面全面は花立て台１１の凹部１２の底面にぴったりと密着する。これにより、花立て台１１は傾斜していても安定する。
【００２４】
すなわち、花立て台１１が穴部１３及び穴部１４に対してスピンしようとすると、つば部１８の下面が花立て台１１の凹部１２底面に対して向きを変えようとするが、つば部１８が凹部１２底面から浮こうとしてしまい、花立て台１１のスピンが防止される。
【００２５】
また、花立て１５の下側の筒部１６は、花立て台１１の穴部１３だけでなく、下台３の穴部１４まで挿通している。したがって、花立て１５によって、下台３に対して花立て台１１がずれないように固定される。
【００２６】
この花立て１５の全部または一部の材質はステンレス、銅、錫、銅合金、錫合金等の金属であるが、セラミック、樹脂、ゴム、ガラス、竹、これらの混合物などでもよい。この花立て１５はほぼ筒状で貫通しており、中に水が貯まらない。したがって、花立て１５内の水が腐ることはない。また筒状であるから、花立て１５の中を洗いやすく汚れにくい。
【００２７】
上記花立て１５の下部には、錫製の花立て網１９が取り付けられている。この花立て網１９は、底部分が円形の網で、側面が筒状の網となっている。この花立て網１９は、収納室２０内まで入り込み、さらに貯水部２５内まで到達して入り込んでいる。この錫製の花立て網１９の網目の大きさは、上記花または植物の茎の太さより小さく、この茎が通らないほど小さい。
【００２８】
この網目の太さは通常０．１〜５ｍｍ、０．３〜３ｍｍ、０．５〜１ｍｍほどである。したがって、このような錫製の花立て網１９に、花立て１５に立てられた植物の下端の切り口が当たり網目を挿通しない。これにより、植物の下端の切り口から錫の成分が送り込まれる。この花立て網１９の錫の作用によって、花立て１５の植物が枯れにくくなり、長持ちする。
【００２９】
しかも、花立て網１９は網状なので貯水部２５の水が花立て網１９内に容易にはいる。したがって、花立て網１９及び花立て１５内の植物に水が供給され枯れにくい。また、この花立て網１９によって、花立て１５の上からのごみや植物のごみが収納室２０内に入るのが防止される。
【００３０】
さらに、この花立て網１９の網目が小さいので、ナメクジ、かたつむりなどの虫が、収納室２０内に侵入するのが防止される。このような花立て網１９の素材としては、錫のほか、青銅などの錫合金といった、錫を含んだ素材でもよい。青銅は、錫Ｓｎと銅Ｃｕとの合金である。花立て網１９としては、上述の銅若しくは黄銅または青銅などの銅合金といった銅を含んだ素材でもよい。
【００３１】
この花立て網１９の底面、側面、一部または全部は省略されてもよい。これにより、花立て１５に立てられた花の下端が貯水部２５の中に入ることができる。この場合、貯水部２５が錫また錫合金であれば、花立て１５に立てられた花が枯れにくくなる。この花立て１５のつば部１８の材質は銅であってもよい。これにより、花立て１５の外側面をナメクジ、かたつむりなどの虫が登ってこなくなる。
【００３２】
また、花立て網１９の底面は貯水部２５の底面と一体化または連結されて省略されて、この一体化部分は網状ではなくなってもよい。この場合でも、ナメクジ、かたつむりなどの虫を寄せ付けず収納部２０内に入れないようにできる。花立て網１９の側面の一部は貯水部２５の隅／角の側面と一体化または連結されて省略されて、この一体化部分は網状ではなくなってもよい。この場合でも、ナメクジ、かたつむりなどの虫を寄せ付けず収納部２０内に入れないようにできる。
【００３３】
この貯水部２５の形状は方形型のほか、円形、楕円、多角形、瓢箪など、どのような形状でもよい。花立て網１９の形状は下方に向かって細くなるテーパー状、下方に向かって太くなるテーパー状、角筒状、球状、円筒状などでもよい。このような貯水部２５と一体化された花立て網１９は、花立て１５または穴部１４の周囲の収納部２０の天井面と分離可能となっており、水の交換のときに、花立て網１９が花立て１５または穴部１４の周囲の収納部２０の天井面から分離されたり、花立て網１９の上縁が花立て１５の下縁または穴部１４の周囲の収納部２０の天井面に合体・連結されたりする。この花立て１５の下縁の位置と穴部１４の下縁の位置とは一致していてもよい。
【００３４】
また、花立て１５の上周縁は外側に湾曲され、この部分の材質は銅であってもよい。これにより、花立て１５の中にナメクジ、かたつむりなどの虫が入ってこなくなる。このほか、花立て１５の全部または一部を銅素材で構成したり、銅板２９が貼り付けられたりしてもよい。これにより、花立て１５にナメクジ、かたつむりなどの虫が近寄らなくなる。上記花立て網１９は、水を通し、虫を通さない網状となっている。したがって、収納部２０内にナメクジ、かたつむりなどの虫が入ってこなくなる。
【００３５】
（３）収納部２０
図３及び図４は、収納部２０の断面を示す。上記下台３の花立て１５、１５及び穴部１４、１４の下側には、墓１の下台３の中には空洞の収納部２０、２０が左右一対形成されている。この収納部２０、２０は直方体状の空洞であり、この収納部２０、２０の上面には上記穴部１４が開けられている。したがって、穴部１４及び穴部１３によって、花立て台１１の凹部１２底面と、収納部２０上面とが連通される。
【００３６】
この収納部２０、２０の前面には扉２１、２１が設けられている。この左右一対の収納部２０、２０のうち、墓１に向かって右側の収納部２０の扉２１は、右側に回動軸２２が取り付けられ、墓１の外側へ開閉可能となっている。また、向かって左側の収納部２０の扉２１は、左側に回動軸２２が取り付けられ、やはり墓１の外側へ開閉可能となっている。
【００３７】
この収納部２０、２０の底面または下面は墓１の手前つまり外側に向かって傾斜している。この扉２１の下側つまり下縁と収納部２０の下側つまり底面前縁との間には隙間２３（縦溝２７）がある。これにより、花立て１１から収納部２０内に入った雨水、ゴミなどが、収納部２０の手前側に向かって流れ、扉２１の下側／下縁と収納部２０の下側／底面前縁との間の隙間２３（縦溝２７）から外に排出される。
【００３８】
また、花立て１５、３５、穴部１３、３３、穴部１４も傾斜しているので、花立て網１９、３９及び花立て１５、３５も傾斜している。これにより、花立て網１９、３９及び花立て１５、３５内の雨水、ゴミ、その他の水が一か所に集まりやすくなって、流れやすくなり、墓１の外に排出され易くなって溜まりにくくなり、ナメクジ、かたつむりなどの虫がわきにくくなる。
【００３９】
この場合花立て網１９、３９の底面は、ほぼ垂直になるように、花立て網１９、３９及び花立て１５、３５に対して傾斜していてもよい。これにより、花立て１５、３５に立てられた花等の植物が奥側ほど高くされ、花立て１５、３５の花等の植物全体のバランスが良くなる。
【００４０】
また、この場合花立て網１９、３９の底面は、ほぼ水平になるように、花立て網１９、３９及び花立て１５、３５に対して傾斜していてもよい。これにより、花立て１５、３５に立てられた花等の植物が奥側ほど低くされ、花立て１５、３５の花等の植物のうち手前が目立つようにされる。
【００４１】
上記収納部２０内の底面には持ち上げ体２４…が設置されている。この持ち上げ体２４は棒状で、横向きに並行に複数設置され、収納部２０の奥に向かって徐々に低くなっている。したがって、持ち上げ体２４…の上面はほぼ水平になっている。この持ち上げ体２４…の上面には、桶状の貯水部２５が設置されている。よって、貯水部２５の底面はほぼ水平に保たれる。
【００４２】
この貯水部２５には水が貯えられ、上記花立て１５に供えられ上記穴部１３及び穴部１４を挿通した花などの植物の下端が、当該貯えられた水に浸される。このように、花立て１５に差されて供えられた花などの植物の水は花立て１５内には無用となって無くすことができ、水を貯えた貯水部２５は収納部２０内に収納されるので、腐敗しにくく、花立て１５の花などの植物が長持ちされる。
【００４３】
上記収納部２０の底面は手前側に向かって傾斜するほか、中央に向かって傾斜される。この収納部２０の底面の中央寄りの隅に沿って隅溝２６が形成される。そして、収納部２０の前面下側の中央寄りにも縦に延びる縦溝２７が形成され、この縦溝２７と隅溝２６とは繋がっている。
【００４４】
したがって、収納部２０内に入り込んだ雨水及びゴミなどは、収納部２０の底面の傾斜に沿って、この隅溝２６に集められ易くなり、縦溝２７に沿って墓１の外へ排出され易くなって溜まりにくくなり、ナメクジ、かたつむりなどの虫がわきにくくなる。また、この縦溝２７があることによって、排出された雨水及びゴミによる汚れが目立たなくなる。縦溝２７は、扉２１の後側に形成されるので、扉２１で縦溝２７が隠され目立たないようにすることができる。この縦溝２７は上記隙間２３と同じものとなる。
【００４５】
このような縦溝２７、隅溝２６によって、収納部２０の底面内の雨水、ゴミ、その他の水が集められるので、流れに勢いがつき、迅速に墓１の外に排出されて溜まりにくくなり、ナメクジ、かたつむりなどの虫がわきにくくなる。しかも、縦溝２７はほぼ垂直で、隅溝２６は収納部２０の底面に沿って傾斜しているので、さらに流れに勢いがつき、迅速に墓１の外に排出されて溜まりにくくなり、ナメクジ、かたつむりなどの虫がわきにくくなる。
【００４６】
上記貯水部２５内の水内には備長炭、木炭、炭などが収納される。このような炭によって、貯水部２５内の水に雑菌が繁殖しにくくなり水が腐敗しにくくなる。また、貯水部２５は収納部２０内に収納されるので、ナメクジ、かたつむりなどの虫が入り込むこともなくなる。
【００４７】
また、この収納部２０内には、持ち上げ体２４、４４以外に、貯水部２５、４５、内壁面、天井、底面、底面の隅溝２６の部分、底面の隅溝２６以外の部分、扉２１、４１の裏面または表面の一部または全部などにも銅板２９、４９が取り付けられてもよい。これにより、収納部２０内に、ナメクジ、かたつむりなどの虫が入り込むこともなくなる。この収納部２０内の銅板２９、４９は、貯水部２５の水の作用によって、銅イオンが発生しやすくなり、ナメクジ、かたつむりなどの虫を忌避する効果が向上する。
【００４８】
花立て１５の内側は段差がないが、段差があってもよい。貯水部２５内の水が少なくなったとき、または古くなったとき、貯水部２５を収納部２０から取り出して、貯水部２５を洗浄または清掃し、新しい水を貯めて、再び収納部２０内に収納すればよい。これにより、花などの植物が枯れない。
【００４９】
また、水を貯えた貯水部２５は収納部２０内に収納されるので、外気に触れにくくて腐敗しにくく、花立て１５の花などの植物が長持ちする。さらに、花立て１５内の水は外気に触れるので腐敗しやすいが、花立て１５内には水は不要となって無くすことができるので、水の腐敗を防ぐことができる。
【００５０】
実験では、花立て１５内の水は猛暑の真夏で約一日、冬場では１週間ほどで腐敗するが、収納部２０内の貯水部２５の水は猛暑の真夏で約二週間、冬場では１乃至２か月ほど経過しても腐敗しない。上記花立て１５の形状はテーパー状、つぼ状、円筒状、角筒状など、花を供えることができれば何でもよい。
【００５１】
貯水部２５の奥行きと収納部２０の奥行との水平方向の差「Ａ」（図３）の長さは、収納部２０の奥面と穴部１４（１３）の下縁との水平方向の差「Ｂ」（図３）の長さより小さい。これにより、貯水部２５が収納部２０内を前後に移動しても、貯水部２５の奥または前の端縁が穴部１４（１３）の下を横切ることがなく、花などの植物の下縁を折ってしまうことがない。
【００５２】
同様に、貯水部２５の幅と収納部２０の幅との水平方向の差の長さは、収納部２０の内側面と穴部１４（１３）の下縁との水平方向の差の長さより小さい。これにより、貯水部２５が収納部２０内を左右に移動しても、貯水部２５の左または右の端縁が穴部１４（１３）の下を横切ることがなく、花などの植物の下縁を折ってしまうことがない。
【００５３】
また、貯水部２５の奥行きと収納部２０の奥行との水平方向の差「Ａ」（図３）の長さは、持ち上げ体２４の奥側と収納部２０の奥面との水平方向の差の長さより小さい。これにより、貯水部２５が収納部２０内を前後に移動しても、貯水部２５の底面が複数の持ち上げ体２４…の一つから外れてしまうことがなく、貯水部２５の水平が維持され安定される。
【００５４】
同様に、貯水部２５の幅と収納部２０の幅との水平方向の差の長さは、持ち上げ体２４の左右の端と収納部２０の内側面との水平方向の差の長さより小さい。これにより、貯水部２５が収納部２０内を左右に移動しても、貯水部２５の底面が複数の持ち上げ体２４…の一つから外れてしまうことがなく、貯水部２５の水平が維持され安定される。
【００５５】
上記貯水部２５の上縁の隅角には切り欠き２８が形成されており、大雨などが降って貯水部２５の水があふれるときには、この切り欠き２８からあふれる水が排水される。この切り欠き２８は、収納部２０の底面が傾斜して一番低い個所に最も近い個所に形成されるが、これ以外の箇所に形成されてもよい。
【００５６】
上記持ち上げ体２４…は、収納部２０の底面の傾斜方向つまり扉２１に向かって直交する方向ではなく、沿った方向に延びていてもよい。この持ち上げ体２４…は、銅製、黄銅または青銅などの銅を含む素材からなっていてもよい。これにより、収納室２０の中においてもナメクジまたはかたつむり等の虫の侵入を防ぐことができる。
【００５７】
貯水部２５を収納室２０内に収納するときには、貯水部２５を空にし、花立て網１９、３９の下から貯水部２５をくぐらせて、花立て１５、３５の上から水を注げば、貯水部２５の中に水は溜まる。または、花立て網１９、３９及び花立て１５、３５を上方へ引き抜き、水を溜めた貯水部２５を収納部２０内に設置し、この後花立て網１９、３９及び花立て１５、３５を上方から差し込む。
【００５８】
また、収納部２０の底面が傾斜しているので、貯水部２５を収納部２０に押し込むとき、この傾斜に沿って貯水部２５が徐々に持ち上げられていくようにしてもよい。この場合、持ち上げ体２４…は貯水部２５の下面に固定され、持ち上げ体２４…は収納部２０の扉２１の手前から奥に向かって伸びる。
【００５９】
さらに、花立て網１９、３９の下縁が貯水部２５の奥上縁に当たらないように、花立て網１９、３９及び花立て１５、３５の位置及び穴１３、３３の位置または花立て網１９、３９または／及び花立て１５、３５の高さ／深さが決定される。これにより、花立て網１９、３９及び花立て１５、３５を引き抜かなくても、また貯水部２５に水を入れたままでも、貯水部２５を収納部２０内に設置できる。
【００６０】
以上のように、上記収納部２０の底面の傾斜に沿って上記貯水部２５は収納部２０内を収納されながら徐々に持ち上げられ、花立て網１９、３９に貯水部２５の奥上が当たらない位置に、花立て網１９、３９の位置または大きさが決定される。したがって、図４の位置において、花立て網１９、３９及び花立て１５、３５は左方に移動される。なお、持ち上げ体２４…は貯水部２５の下面に固定されていなくてもよい。
【００６１】
上記貯水部２５の材質は、銅、錫、銅合金、錫合金、ステンレス等の金属のほか、樹脂、セラミック、ゴム、ガラス、木、竹、陶器、漆器これらの混合物などでもよいし、これらの素材が二重または三重に積層されたものでもよい。
【００６２】
（４）第二実施例
図５は第二実施例を示す。この実施例の花立て台３１は、墓１から分離されている。この花立て台３１の上面中央は方形状に凹んでおり、この凹部３２の底面中央には円柱状の穴部３３が縦方向に開けられている。
【００６３】
この穴部３３には、ほぼ筒状の花立て３５が挿通されている。この花立て３５の下部はほぼ円筒状の筒部３６となっており、当該花立て３５の上部は円筒状で上方へ開くテーパー部３７となっている。このテーパー部３７と筒部３６との境界にはつば部３８が形成されている。
【００６４】
このつば部３８は外側へ環状に延出され、花立て３５が穴部３３に挿通されたとき、上記凹部３２の底面にこのつば部３８が当接して、花立て３５は花立て台３１の凹部３２内に固定される。この花立て３５は花立て台３１の穴部３３から抜いたり差し込んだりできる。
【００６５】
上記穴部３３は手前に向かって傾斜している。これに応じて花立て３５は手前に向かって傾斜される。したがって、花立て３５に差されて供えられる花などの花の向きは墓１の前側を向き、墓１を見たとき花が体裁よく見える。
【００６６】
上記花立て３５及び穴部３３の下側の、花立て台３１の中には、空洞の収納部４０が形成されている。この収納部４０は直方体状の空洞であり、この収納部４０の上面には上記穴部３３が開けられている。したがって、穴部３３によって、花立て台３１の凹部３２底面と、収納部４０上面とが連通される。
【００６７】
この収納部４０の後面には扉４１が設けられている。この収納部４０のうち、墓１に向かって右側の収納部４０の扉４１は、左側に回動軸４２が取り付けられ、墓１の外側から収納部４０内へ物の出し入れが容易となっている。また、向かって左側の収納部４０の扉４１は、右側に回動軸４２が取り付けられ、やはり墓１の外側から収納部４０内へ物の出し入れが容易となっている。
【００６８】
この収納部４０の底面または下面は墓１の奥側つまり外側に向かって傾斜している。この扉４１の下側／下縁と収納部４０の下側／底面後縁との間には隙間４３がある。これにより、花立て３１から収納部４０内に入った雨水、ゴミなどが、収納部４０の手前側に向かって流れ、扉４１の下側／下縁と収納部４０の下側／底面後縁との間の隙間４３から外に排出されて溜まりにくくなり、ナメクジ、かたつむりなどの虫がわきにくくなる。
【００６９】
上記収納部４０の底面は奥側に向かって傾斜するほか、外側に向かって傾斜される。この収納部４０の底面の外側の隅に沿って隅溝４６が形成される。そして、収納部４０の後面外側にも縦に延びる縦溝４７が形成され、この縦溝４７と隅溝４６とは繋がっている。
【００７０】
上記収納部４０内の底面には持ち上げ体４４…が設置されている。この持ち上げ体４４は棒状で、横向きに並行に複数設置され、収納部４０の手前に向かって徐々に低くなっている。したがって、持ち上げ体４４…の上面はほぼ水平になっている。この持ち上げ体４４…の上面には、桶状の貯水部４５が設置されている。よって、貯水部４５の底面はほぼ水平に保たれる。
【００７１】
上記貯水部４５の上縁の隅角には切り欠き４８が形成されており、大雨などが降って貯水部４５の水があふれるときには、この切り欠き４８からあふれる水が排水される。この切り欠き４８は、収納部４０の底面が傾斜して一番低い個所に最も近い個所に形成されるが、これ以外の箇所に形成されてもよい。
【００７２】
このような花立て台３１は、下台３の上または近傍、根石２の上または近傍、敷石３の上または近傍、上台５の上または近傍、外柵７の上、内側または近傍などに設けられ設置される。
【００７３】
この第二実施例の他の構成、作用、効果は、上記第一実施例と同じであり、これらの説明は本実施例でも記載されているものとするし、本実施例の記載内容も上記第一実施例にも記載されているものとする。第二実施例で記載されていないことは、この他の実施例が参照されるし、第一実施例で記載されていないことは、当該第一実施例以外の実施例が参照される。
【００７４】
上記花立て台３１の全周囲の下方には銅板４９が巻回されて取り付けられている。この巻回では、細長い板状の銅板４９が花立て台３１の側面の全周囲にわたって巻きつけられ、この巻き付けられた細長い銅板４９の両端が互いに溶接されたり、この両端が反転されてこの反転個所どうしが針金などで連結されたり、その他の連結金具で連結される。
【００７５】
上記花立て３５の下部には、錫製の花立て網３９が取り付けられている。この花立て網１９は、底部分が円形の網で、側面が筒状の網となっている。この花立て網１９は、収納室４０内まで入り込み、さらに貯水部４５内まで入り込んでいる。この錫製の花立て網３９の網目の大きさは、上記植物の茎が通らないほど小さい。
【００７６】
（８）他の実施の形態
本発明は上記実施例に限定されず、本発明の趣旨を逸脱しない範囲で種々変更可能である。例えば、扉２１、４１の裏面と貯水部２５、４５の手前面とは一体に接合され、扉２１、４１は墓１本体から引き出し可能となっていて、スライド式の引き出しのスタイルであってもよい。この場合、扉２１、４１の裏面が持ち上げ体２４、４４と同じ機能を果たし、持ち上げ体２４、４４は省略される。
【００７７】
図５の銅板４９は、花立て台３１の下方のくびれ部の上側だけでなく、下側に形成されてもよいし、この上側と下側の両方に形成されてもよいし、花立て台３１の側面の全周囲全面にわたって銅板２９が形成されてもよい。
【００７８】
収納部２０、４０の扉２１、４１は、下台３または花立て台３１の手前側または奥側ではなく、下台３または花立て台３１の右側及び左側に設けられていてもよい。この場合、収納部２０、４０の底面は墓１の右外側または左外側に向かって傾斜するとともに奥側または手前側に向かっても傾斜する。
【００７９】
この場合、隅溝２６及び縦溝２７は、収納部２０の底面の中央寄りに形成される。扉２１は、下台３の手前側、右側及び左側にすべて設けられていてもよい。これにより、収納部２０に対して手前側、右側及び左側いずれの方向からも開閉できる。この場合、扉２１は、手前側と右側、手前側と左側とが一体化され、Ｌ字状に折り曲げられた形状になっていてもよい。
【００８０】
また、第二実施例においては、隅溝４６及び縦溝４７は、収納部４０の底面の奥側に形成される。扉４１は、花立て台３１の奥側、右側及び左側にすべて設けられていてもよい。これにより、収納部４０に対して奥側、右側及び左側いずれの方向からも開閉できる。この場合、扉４１は、奥側と右側、手前側と左側とが一体化され、Ｌ字状に折り曲げられた形状になっていてもよい。
【００８１】
花立て台１１は省略され、下台３の上面に直接花立て１５、３５が立設されてもよい。花立て１５、３５、穴部１３、１４、３３は、斜めではなく、垂直方向に立設されていてもよい。扉２１、４１の下側の隙間２３、４３は、扉２１、４１の下縁全体にわたっていてもよいし、隅溝２６、４６及び／または縦溝２７、４７付近だけに形成されていてもよい。
【００８２】
収納部２０、４０の扉２１、４１は、収納部２０、４０の上面に設けられてもよい。これにより収納部２０、４０の上方から貯水部２５、４５を出し入れできる。この場合、扉２１、４１の回動軸２２、４２は水平方向となり、収納部２０、４０の中央側または奥側に設けられる。
【００８３】
上記墓１の各部の材質は、御影石、花崗岩、安山岩などであるが、人造の御影石であってもよいし、一部、セラミック、ガラス、コンクリート、これらの混合物などであってもよい。持ち上げ体２４の材質は、これらの素材のほか、木材、竹、樹脂、ガラス、金属、ゴム、防水性紙などでもよい。
【００８４】
貯水部２５、４５の底面は段差があって、手前側に向かって、または外側に向かって深くなっていてもよい。これにより、持ち上げ体２４、４４が不要となるが、代わりに貯水部２５、４５の底面の段差が、持ち上げ体２４、４４となる。また貯水部２５、４５の下面に持ち上げ体２４、４４が固定されていてもよい。
【００８５】
上記持ち上げ体２４、４４は、水平に伸びる棒状のほか、多数の突起状でもよいし、収納部２０、４０の底面に着脱自在でも、固定されていてもよい。持ち上げ体２４、４４の一部または全部は省略されてもよい。この場合、貯水部２５、４５は傾斜されるが、花などの植物の下端は貯水部２５、４５内に入る。
【００８６】
また、持ち上げ体２４、４４の数に応じて、上記隅溝２６、４６は碁盤の目状になったり、放射状になったり、多数の持ち上げ体２４、４４の間の谷間そのものが隅溝２６、４６になったりする。花立て１５、３５、花立て網１９、３９、穴部１３、穴部１４は傾斜せず垂直に直立していてもよい。
【００８７】
扉２１、４１の一部または全部は省略されてもよい。この場合、収納部２０、４０に扉はないが、貯水部２５、４５は収納可能となる。扉２１、４１の下側／下縁の隙間２３、４３の一部または全部は省略されてもよい。隅溝２６、４６、縦溝２７、４７の一部または全部は省略されてもよい。
【００８８】
花立て１５、３５の一部または全部は省略されてもよい。この場合、穴部１３または穴部１４が花立てとなり、穴部１３または穴部１４に直接花などの植物が供えられる。上記花立て１５、３５及び収納部２０、４０は、根石２、上台５、竿石６、外柵７、墓誌８などに設けられてもよいし、その他の五輪塔、石碑などに設けられてもよい。墓１は、洋型墓石のほか、和型墓石でもよい。
【００８９】
上記銅板２９または錫板は、根石２、下台３、中台４、上台５、竿石６、外柵（羽目石）７、墓誌８、五輪塔９、香炉１０、穴部１３、穴部１４、花立て台１１、３１、花立て網１９、３９、扉２１、４１、花立て１７、３７、貯水部２５、４５、墓１の外面または内面の全部または一部などの側面下方、側面全体、側面上方、側面一部、内壁の一部または全部、上面一部または全体、底面の一部または全部にも設けられてもよいし、これら各部の全部または一部が銅素材・錫素材・銅合金・錫合金で構成されてもよいし、銅板２９は省略されてもよい。
【００９０】
上記花立て網１９は、貯水部２５の中に設置された平板状または凹んだ網でもよいし、収納室２０の天井に固定された凹んだ網でもよいし、花立て１５とは分離された網でもよいし、省略されてもよい。花立て網１９の網目は植物の茎の太さより大きくてもよい。網は、針金が織られたものまたは編まれたものでもよいし、板状のものに多数の穴が開けられたものでもよい。
【００９１】
お墓には骨壺を入れるお骨入れ／納骨棺があり、このお骨入れ／納骨棺の内壁、底面、天井、扉の一部または全部に銅板または銅合金の板が貼り付けられてもよい。さらに、このお骨入れ／納骨棺には空気穴／通気口があり、この空気穴／通気口の入口／出口／内壁の全部または一部に銅板または銅合金の板が貼り付けられてもよい。これにより、ナメクジ、かたつむりなどの虫が入りにくくなる。
【００９２】
（９）他の発明の効果
［１］墓の上に設けられたほぼ筒状の花立てと、  この花立ての下の墓の中に設けられた空洞の収納部と、  この収納部上面と上記花立ての下面とを連通する穴部とを備え、  この収納部内に収納され水を貯え、上記花立てに供えられ上記穴部を挿通した植物の下端が、当該貯えられた水に浸される貯水部を上記収納部内に収納可能としたことを特徴とする墓。
【００９３】
[２]上記筒状の花立ての下部は網状になっていて、この網状の部分は上記貯水部の中に到達していることを特徴とする請求項１記載の墓。これにより、花立てからゴミ、植物のゴミなどが、収納部内、貯水部内に入ることが少なくなって溜まりにくくなり、ナメクジ、かたつむりなどの虫がわきにくくなる。
【００９４】
[３]上記網状の部分は錫を含む素材からなり、上記網状の部分の穴は、花立てに立てられる花または植物の茎の太さより小さいことを特徴とする請求項２記載の墓。これにより、花または植物の茎の下端の切り口が網状部分を貫通／挿通せず、錫部分に当たるので、花または植物が長持ちし枯れにくくなる。また、この網状部分から貯水部の水が入って植物に水が供給される。
【００９５】
[４]上記収納部の底面は墓の外側に向かって傾斜していることを特徴とする請求項１、２、または３記載の墓。これにより、花立てから収納部内に入った雨水、ゴミなどが、収納部の外側に向かって流れ、扉の下側／下縁と収納部の下側／底面縁との間の隙間から外に排出されて溜まりにくくなり、ナメクジ、かたつむりなどの虫がわきにくくなる。
【００９６】
[５]上記墓の外側に向かって傾斜している上記収納部の底面には、貯水部の底面をほぼ水平に保つための持ち上げ体が設けられていることを特徴とする請求項１、２、３または４記載の墓。これにより、貯水部が傾斜せず水平に保たれ、貯水部に効率よく水が貯えられる。
【００９７】
[６]上記収納部の底面の傾斜に沿って上記貯水部は収納部内を収納されながら徐々に持ち上げられ、花立ての網状の下部に貯水部の奥上が当たらない位置に、花立ての網状部分の位置または大きさが決定されることを特徴とする請求項１、２、３、４または５記載の墓。これにより、花立てを外さなくても、貯水部に水を入れたまま、貯水部を収納部内にほぼ水平に設置できる。
【００９８】
[７]上記花立ては墓の手前に向かって傾斜していることを特徴とする請求項１、２、３、４、５または６記載の墓。これにより、花立てに差されて供えられる花などの花の向きは墓の前側を向き、墓を見たとき花が体裁よく見える。
【００９９】
[８]上記収納部の前面には扉が設けられ、この扉の下側と収納部の下側との間には隙間があることを特徴とする請求項１、２、３、４、５、６または７記載の墓。これにより、花立てから収納部内に入った雨水、ゴミなどが、扉の下側と収納部の下側との間の隙間から外に排出され、扉の内側に溜まってしまうことがなくなり、ナメクジ、かたつむりなどの虫がわきにくくなる。
【０１００】
[９]上記収納部の底面は墓の外側方向以外の方向に傾斜しており、この傾斜先の隅には溝が形成されていることを特徴とする請求項１、２、３、４、５、６、７または８記載の墓。これにより、収納部内に入り込んだ雨水及びゴミなどは、収納部の底面の傾斜に沿って、この隅溝に集められ、墓１の外へ容易に排出されて溜まりにくくなり、ナメクジ、かたつむりなどの虫がわきにくくなる。
【０１０１】
[１０]上記収納部内の一部または全部には銅板が取り付けられており、上記花立てまたは上記穴部の一部または全部に銅素材が使用されるか、または花立てまたは上記穴部の一部は水を通し、虫を通さない網状となっていることを特徴とする請求項１、２、３、４、５、６、７、８または９記載の墓。これにより、収納部内にナメクジ、かたつむりなどの虫が入りにくくなる。
【０１０２】
[１１]上記花立ての下部は水を通し虫を通さない網状となっており、この網状部分は上記貯水部の底面または側面と連結されており、この網状部分は花立てと分離及び連結が可能となっていることを特徴とする請求項１、２、３、４、５、６、７、８、９または１０記載の墓。これにより、貯水部を収納部に出し入れするとき、網状部分が貯水部の側壁などにぶつからない。
【０１０３】
[１２]上記墓の外面の一部または全部には銅板が取り付けられていることを特徴とする請求項１、２、３、４、５、６、７、８、９、１０または１１記載の墓。これにより、墓にナメクジ、かたつむりなどの虫が寄りにくくなる。
【産業上の利用可能性】
【０１０４】
花立ての下の収納部内に貯水部を収納可能として、花立て内には水が無くても、貯水部の水によって花立て内の植物は容易に枯れない。花立て台１１、３１の上面の凹部１２、３２の底面中央には円柱状の穴部１３、１４、３３が縦方向に開けられている。この穴部１３、１４、３３には、ほぼ筒状の花立て１５、３５が挿通され、この穴部１３、１４、３３の下には、空洞の収納部２０、４０が形成され、水の入った貯水部２５、４５が収納され、花立て１５、３５に供えられた花の下端が貯水部２５、４５の中に浸される。
【０１０５】
花立て１５、３５の下方は、植物の茎より細い網目の花立て網１９、３９となっている。よって、植物の下端の切り口に錫が当たり枯れにくくなり、しかもこの網１９、３９から貯水部２５、４５からの水が入って植物に水が供給される。
【０１０６】
収納部２０、４０の底面は外側に向かって傾斜しており、収納部２０、４０の扉２１、４１の下縁と収納部２０、４０の前面下側／底面前縁または後面下側／底面後縁との間には隙間２３、４３がある。これにより、花立て１１、３１から収納部２０、４０内に入った雨水、ゴミなどが、収納部２０、４０の手前側に向かって流れ、扉２１、４１の下側／下縁と収納部２０、４０の下側／底面縁との間の隙間から外に排出される。
【図面の簡単な説明】
【０１０７】
【図１】墓１の外観を示す。
【図２】花立て台１１及び花立て１３の断面を示す。
【図３】収納部２０の横断面を示す。
【図４】収納部２０の縦断面を示す。
【図５】花立て台１１、３１、花立て１３、３３、収納部２０、４０の第二実施例の断面を示す。
【図６】和型の墓１の例を示す。
【符号の説明】
【０１０８】
１…墓、２…根石、２ａ…敷石、
３…下台、４…中台、５…上台、
６…竿石、７…外柵、８…墓誌、
９…五輪塔、１０…香炉、１１…花立て台、
１２…凹部、１３…穴部、１４…穴部、
１５…花立て、１６…筒部、１７…テーパー部、
１８…つば部、１９…花立て網、２０…収納部、
２１…扉、２２…回動軸、２３…隙間、
２４…持ち上げ体、２５…貯水部、２６…隅溝、
２７…縦溝、２８…切り欠き、２９…銅板、
３１…花立て台、３２…凹部、３３…穴部、
３５…花立て、３６…筒部、３７…テーパー部、
３８…つば部、３９…花立て網、４０…収納部、
４１…扉、４２…回動軸、４３…隙間、
４４…持ち上げ体、４５…貯水部、４６…隅溝、
４７…縦溝、４８…切り欠き、４９…銅板。
【図１】
2010150844.tif 000003
【図２】
2010150844.tif 000004
【図３】
2010150844.tif 000005
【図４】
2010150844.tif 000006
【図５】
2010150844.tif 000007
【図６】
2010150844.tif 000008